(57)【要約】      （修正有）【課題】試料の観察の際に試料に対して行う操作を、手間がかからずに正確に行う対物レンズ用キャップを提供する。【解決手段】対物レンズの対物側に装着される対物レンズ用キャップ１であって、第１開口部２２が形成され、第１開口部を通って挿入される対物レンズの側面に篏合する篏合部２０と、篏合部と連結されるか、篏合部と一体的に形成され、対物レンズ用キャップにおいて第１開口部の反対側に突出した試料接触部１０とを備える。【選択図】図３
0003225945.tif 000002
【実用新案登録請求の範囲】
【請求項１】
対物レンズの対物側に装着される対物レンズ用キャップであって、
第１開口部が形成され、前記第１開口部を通って挿入される前記対物レンズの側面に篏合する篏合部と、
前記篏合部と連結されるか、前記篏合部と一体的に形成され、前記対物レンズ用キャップにおいて前記第１開口部の反対側に突出した試料接触部とを備える、対物レンズ用キャップ。
【請求項２】
請求項１に記載の対物レンズ用キャップにおいて、
前記篏合部は、前記対物レンズ用キャップの中心軸が前記対物レンズの光軸と略平行となるように前記対物レンズの側面に篏合する、対物レンズ用キャップ。
【請求項３】
請求項１または２に記載の対物レンズ用キャップにおいて、
前記篏合部は、円筒状である、対物レンズ用キャップ。
【請求項４】
請求項１から３までのいずれか一項に記載の対物レンズ用キャップにおいて、
前記篏合部は、前記篏合部を前記対物レンズに係止するねじを備える、対物レンズ用キャップ。
【請求項５】
請求項１から４までのいずれか一項に記載の対物レンズ用キャップにおいて、
前記試料接触部には、前記対物レンズ用キャップにおいて前記第１開口部と反対側の端部に開口する第２開口部が形成されている、対物レンズ用キャップ。
【請求項６】
請求項５に記載の対物レンズ用キャップにおいて、
前記第２開口部に開口する凹部または貫通孔が形成されている、対物レンズ用キャップ。
【請求項７】
請求項５または６に記載の対物レンズ用キャップにおいて、
前記試料接触部の前記端部は、前記対物レンズ用キャップの中心軸に略垂直な面に沿って形成されている、対物レンズ用キャップ。
【請求項８】
請求項５から７までのいずれか一項に記載の対物レンズ用キャップにおいて、
前記試料接触部は、前記端部を通り前記対物レンズ用キャップの中心軸に略垂直な面と前記中心軸が交差する位置には形成されていない、対物レンズ用キャップ。
【請求項９】
請求項５から８までのいずれか一項に記載の対物レンズ用キャップにおいて、
前記試料接触部は、前記端部に向けて幅が小さくなるように形成されている、対物レンズ用キャップ。
【請求項１０】
請求項１から９までのいずれか一項に記載の対物レンズ用キャップにおいて、
前記試料接触部には、複数のエッジが形成されており、各エッジに対応する直線が前記対物レンズ用キャップの中心軸の近傍で交差するように前記試料接触部が形成されている、対物レンズ用キャップ。
【請求項１１】
請求項１から１０までのいずれか一項に記載の対物レンズ用キャップにおいて、
前記試料接触部は、前記対物レンズの倍率に基づいた寸法を有する、対物レンズ用キャップ。
【請求項１２】
対物レンズであって、
前記対物レンズのレンズ面よりも対物側に突出して形成された試料接触部を備える対物レンズ。
【請求項１３】
請求項１２に記載の対物レンズにおいて、
前記試料接触部には、前記対物レンズにおいて対物レンズ本体と反対側の端部に開口する貫通孔が形成されている、対物レンズ。
【請求項１４】
請求項１３に記載の対物レンズにおいて、
前記試料接触部の前記端部は、前記対物レンズの光軸に略垂直な面に沿って形成されている、対物レンズ。
【請求項１５】
請求項１３または１４に記載の対物レンズにおいて、
前記試料接触部は、前記端部を通り前記対物レンズの光軸に略垂直な面と前記光軸が交差する位置には形成されていない、対物レンズ。
【請求項１６】
請求項１３から１５までのいずれか一項に記載の対物レンズにおいて、
前記試料接触部は、前記端部に向けて幅が小さくなるように形成されている、対物レンズ。
【請求項１７】
請求項１３から１６までのいずれか一項に記載の対物レンズにおいて、
前記試料接触部には、複数のエッジが形成されており、各エッジに対応する直線が前記対物レンズの光軸の近傍で交差するように前記試料接触部が形成されている、対物レンズ。
【請求項１８】
請求項１３から１７までのいずれか一項に記載の対物レンズにおいて、
前記試料接触部は、前記対物レンズの倍率に基づいた寸法を有する、対物レンズ。
【考案の詳細な説明】
【技術分野】
【０００１】
本考案は、対物レンズ用キャップおよび対物レンズに関する。
【背景技術】
【０００２】
顕微鏡では、より精密に観察を行うため、観察の際に試料に対して操作を加えることが行われている。例えば、試料の表面ができるだけ水平である方が、視野全体に焦点を合わせることが容易であるため望ましい。特に、試料の表面をプローブが走査する走査型プローブ顕微鏡または原子間力顕微鏡では、試料の表面の高低差が大きいとエラー信号が発生したり、遅延の原因となる。レーザー顕微鏡では、試料の表面の高低差が大きいと光軸方向の走査も行う必要があるため時間がかかってしまう。特許文献１では、変形可能な金属に埋め込まれた試料Ｓを押圧部材により押圧することで、試料の表面を略水平にすることが記載されている。また、試料を顕微鏡で観察した後、より高倍率で観察するときに観察対象を探しやすくするため、高倍率で観察する試料の部位にマークをつけることも行われている。
【先行技術文献】
【特許文献】
【０００３】
【特許文献１】特開２０１９−０９０６５５号公報
【考案の概要】
【考案が解決しようとする課題】
【０００４】
試料を水平にする操作または試料にマークを付ける操作等の、試料の観察の際に試料に対して行う操作を、手間がかからずに正確に行うことが望ましい。
【課題を解決するための手段】
【０００５】
本考案の第１の態様は、対物レンズの対物側に装着される対物レンズ用キャップであって、第１開口部が形成され、前記第１開口部を通って挿入される前記対物レンズの側面に篏合する篏合部と、前記篏合部と連結されるか、前記篏合部と一体的に形成され、前記対物レンズ用キャップにおいて前記第１開口部の反対側に突出した試料接触部とを備える、対物レンズ用キャップに関する。
本考案の第２の態様は、対物レンズであって、前記対物レンズのレンズ面よりも対物側に突出して形成された試料接触部を備える対物レンズに関する。
【考案の効果】
【０００６】
本考案によれば、試料を水平にする操作または試料にマークを付ける操作等の、試料の観察の際に試料に対して行う操作を、手間がかからずに正確に行うことができる。
【図面の簡単な説明】
【０００７】
【図１】図１は、一実施形態の対物レンズ用キャップを模式的に示す斜視図である。
【図２Ａ】図２Ａは、一実施形態の対物レンズ用キャップを模式的に示す上面図である。
【図２Ｂ】図２Ｂは、一実施形態の対物レンズ用キャップを模式的に示す正面図である。
【図３】図３は、一実施形態の対物レンズ用キャップを模式的に示す断面図である。
【図４】図４は、一実施形態の対物レンズ用キャップを用いた試料の調整方法を説明するための概念図である。
【図５】図５は、一実施形態の対物レンズ用キャップを用いた試料の調整方法を説明するための概念図である。
【図６】図６は、一実施形態の対物レンズ用キャップを用いた試料の調整方法を説明するための概念図である。
【図７】図７は、一実施形態の対物レンズ用キャップを用いた試料の調整方法を説明するための概念図である。
【図８】図８は、変形例の対物レンズ用キャップを模式的に示す断面図である。
【図９Ａ】図９Ａは、一実施形態の対物レンズ用キャップを模式的に示す上面図である。
【図９Ｂ】図９Ｂは、一実施形態の対物レンズ用キャップを模式的に示す正面図である。
【図１０】図１０は、一実施形態の対物レンズ用キャップを模式的に示す断面図である。
【図１１Ａ】図１１Ａは、一実施形態の対物レンズ用キャップの試料接触部を模式的に示す上面図である。
【図１１Ｂ】図１１Ｂは、第１試料接触部を模式的に示す断面図である。
【図１１Ｃ】図１１Ｃは、第２試料接触部を模式的に示す断面図である。
【図１２Ａ】図１２Ａは、一実施形態の対物レンズ用キャップを用いて試料にマークを付ける方法を説明するための概念図である。
【図１２Ｂ】図１２Ｂは、図１２Ａの状態における試料の上面図である。
【図１３】図１３は、一実施形態の対物レンズ用キャップを用いた試料にマークを付ける方法を説明するための概念図である。
【図１４】図１４は、一実施形態の対物レンズ用キャップを用いた試料にマークを付ける方法を説明するための概念図である。
【図１５Ａ】図１５Ａは、一実施形態の対物レンズ用キャップを用いた試料にマークを付ける方法を説明するための概念図である。
【図１５Ｂ】図１５Ｂは、図１５Ａの状態における試料の上面図である。
【図１６】図１６は、変形例の対物レンズ用キャップを模式的に示す上面図である。
【図１７Ａ】図１７Ａは、一実施形態の対物レンズを模式的に示す上面図である。
【図１７Ｂ】図１７Ｂは、一実施形態の対物レンズを模式的に示す正面図である。
【考案を実施するための形態】
【０００８】
以下、図を参照して本考案を実施するための形態について説明する。
【０００９】
−第１実施形態−
図１は、本実施形態の対物レンズ用キャップ１の斜視図であり、図２Ａは、対物レンズ用キャップ１の上面図であり、図２Ｂは、対物レンズ用キャップ１の正面図であり、図３は、対物レンズ用キャップ１の断面図である。以下の実施形態では、正面図は、上面図における図の下から上へ向かう向きに図示された対象を見た図とする。
【００１０】
対物レンズ用キャップ１は、試料接触部１０と、篏合部２０とを備える。試料接触部１０は、一端に開口部１１を有する円錐台の形状を有する。試料接触部１０には、円錐台の外径が小さい方の端部である第１端部Ｅ１に試料接触面１００が形成されており、円錐台の外径が大きい方の端部である第２端部Ｅ２において篏合部２０と連結されている。試料接触面１００は、円環状の形状をしており、内側に円状の開口部１１が形成されている。試料接触部１０には、開口部１１に開口する凹部１２が形成されている。本実施形態では、凹部１２は、円板状または円柱状に形成されている。図１では、凹部１２の底面の形状を、破線ＢＬ１で示した。
【００１１】
対物レンズ用キャップ１の篏合部２０は、円筒の形状をしており、円筒の一端において試料接触部１０と接触している。篏合部２０の側面を貫通するように、複数のねじ２１が配置されている。ねじ２１は、動径方向に移動可能である。図２Ａでは、ねじ２１ａ、２１ｂおよび２１ｃの３個のねじが、１２０°の間隔で篏合部２０の外周面に配置されている。
【００１２】
対物レンズ用キャップ１は、対物レンズに装着されるキャップである。対物レンズ用キャップ１は、対物レンズにおいて、対物レンズが顕微鏡に取り付けられた際に試料に対向する側である対物側の端部に装着される。対物レンズ用キャップ１は、対物レンズに装着された際、篏合部２０が対物レンズの側面に篏合するように形成されている。対物レンズは、篏合部２０の開口部２２に挿入され装着される。篏合部２０の内壁の形状は円柱面になっており、篏合部２０の内径は対物レンズ用キャップ１が装着される対物レンズの外径よりも大きくなっている。対物レンズ用キャップ１が対物レンズに装着された際、対物レンズの側面と篏合部２０の内壁が向かい合う。このとき、ねじ２１を締めることでねじ２１と対物レンズの側面とが接触し、摩擦力により篏合部２０が対物レンズに係止される。このようにして、対物レンズ用キャップ１は対物レンズに固定される。
なお、ねじ２１の個数は、対物レンズ用キャップ１を対物レンズに固定できれば特に限定されず、１個以上に設定することができ、好ましくは２個以上６個以下に設定することができる。
【００１３】
対物レンズ用キャップ１の中心軸Ａｘを、篏合部２０の内壁が構成する円柱面の回転対称の対称軸とする。試料接触部１０の円錐台形状と篏合部２０の円筒形状は、中心軸Ａｘの周りに同軸に配置されている。試料接触部１０は、中心軸Ａｘに沿って、対物レンズ用キャップ１において開口部２２の反対側に突出した形状を有している。対物レンズキャップ１において開口部２２の反対側の端部Ｅ１に開口部１１が形成されている。試料接触面１００は、第１端部Ｅ１を通り、中心軸Ａｘと交差し中心軸Ａｘと略垂直な第１の平面Ｐ１（図２Ｂ）上に形成されている。ここで、「略垂直」とは、試料を観察する際の倍率および観察に求められる精度によって適宜変動するが、例えば８０°〜１００°、好ましくは８５°〜９５°、より好ましくは８８°〜９２°の範囲の角度を指し、垂直であることが最も好ましい。以下の実施形態でも、「略垂直」は同様の数値範囲とすることができる。
【００１４】
対物レンズ用キャップ１が対物レンズに装着される際、対物レンズの光軸と対物レンズ用キャップ１の中心軸Ａｘとが略平行となるように篏合部２０が対物レンズの側面に篏合するように篏合部２０が形成されている。ここで、「略平行」とは、試料を観察する際の倍率および観察に求められる精度によって適宜変動するが、例えば−１０°〜＋１０°、好ましくは−５°〜＋５°、より好ましくは−２°〜＋２°の範囲の角度を指し、０°であることが最も好ましい。以下の実施形態でも、「略平行」は同様の数値範囲にとすることができる。
【００１５】
図３は、図２ＡのＡ−Ａ断面図である。試料接触部１０に形成されている凹部１２は、試料接触面１００が試料と接触している際に、対物レンズの光軸上にある試料の観察対象部位に対物レンズ用キャップ１が接触して当該観察対象部位を汚したり変形させないようにするために形成されている。この観点から、凹部１２の深さＤ１は、１ｍｍ以上が好ましく、２ｍｍ以上がより好ましい。
【００１６】
対物レンズ用キャップ１は金属または樹脂を主成分とすることができる。対物レンズ用キャップ１は、金属としてはステンレス、樹脂としてはテフロン（登録商標）またはポリプロピレンを含むことができるが、特に限定されない。対物レンズ用キャップ１の加工の方法は特に限定されず、金属加工または樹脂加工における公知の方法等を用いることができる。例えば、金属加工の場合、切断加工または旋盤加工により外形を加工した後、穴あけ加工により凹部１２および篏合部２０の中空部を加工することができる。樹脂加工の場合は、射出成型等により成形することができる。
なお、図３では、試料接触部１０と篏合部２０とを別の部分としてハッチングで区別して示した。しかし、試料接触部１０と篏合部２０とを金属または樹脂により一体的に成形してもよい。
【００１７】
図４、図５、図６および図７は、本実施形態の対物レンズ用キャップ１を用いる試料の調整方法の流れを説明するための概念図である。この例では、対物レンズ用キャップは、試料の観察面を水平に、言い換えれば試料の観察面を対物レンズの光軸に対して垂直にするためのものである。図４、５、６、７の順番で時系列順に顕微鏡および試料の状態を示した。試料は顕微鏡観察のための試料である。顕微鏡の種類は、正立顕微鏡が好ましい。対物レンズ用キャップ１が装着される対物レンズは、操作の簡便さ等の観点から、明視野顕微鏡等の、低倍率での観察に用いられる一般的な顕微鏡用であることが好ましい。一方、調整後の試料は、明視野顕微鏡、蛍光顕微鏡、走査型プローブ顕微鏡、原子間力顕微鏡またはレーザー顕微鏡等の、広範な種類の顕微鏡による観察に用いることが可能である。
【００１８】
図４は、試料Ｓが調整されていない状態を示す概念図である。試料台ＳＴの上に、塑性を有する部材Ｍが配置され、部材Ｍに試料Ｓが一部埋め込まれて配置されている。部材Ｍは、着脱可能な板等を介して試料台ＳＴに配置されてもよい。試料Ｓにおける、観察対象である観察面ＳＦが対物レンズＯＬの光軸Ａｘ１に対して垂直でなく、傾いている。このため、対物レンズＯＬを通して観察面ＳＦを観察すると、観察面ＳＦの狭い範囲にしか焦点が合わず、画像内で画質にばらつきが生じてしまい、精度の高い解析が困難となる。さらに、試料Ｓを他の顕微鏡での観察に利用する場合には、上述のように、走査型プローブ顕微鏡、原子間力顕微鏡またはレーザー顕微鏡では、エラー信号または遅延の原因となる。
【００１９】
図４の状態において、顕微鏡のユーザー（以下、単にユーザーと呼ぶ）は、観察対象となる試料Ｓの部位が視野の略中央に配置されるように試料台ＳＴまたは対物レンズＯＬを移動させる。その後、ユーザーは、対物レンズＯＬの対物側の端部に対物レンズ用キャップ１を装着する。
【００２０】
図５は、対物レンズＯＬに対物レンズ用キャップ１を装着した後の顕微鏡および試料Ｓの状態を示す図である。対物レンズＯＬの光軸Ａｘ１と対物レンズ用キャップ１の中心軸Ａｘは略一致している。このとき、対物レンズＯＬの光軸Ａｘ１と試料接触面１００は略垂直となる。対物レンズ用キャップ１は、試料接触面１００が試料Ｓの観察面ＳＦに向かい合うように配置される。
【００２１】
図５の状態において、ユーザーは、試料Ｓに向けて、対物レンズＯＬを光軸Ａｘに略平行に移動させ、試料接触面１００により試料Ｓを押圧する。
なお、試料接触面１００により試料Ｓを押圧する際に、対物レンズＯＬを移動させるのではなく、試料台ＳＴを移動させてもよい。以下の各実施形態において対物レンズＯＬを移動する際も、代わりに試料台ＳＴを動かすことができる。
【００２２】
図６は、対物レンズ用キャップ１により試料Ｓを押圧する際の顕微鏡および試料Ｓの状態を示す図である。試料Ｓを対物レンズＯＬの側から押圧することにより、観察面ＳＦは、試料接触面１００に接して試料接触面１００と略平行となり、試料接触面１００と同様に、対物レンズＯＬの光軸Ａｘ１に略垂直になる。観察面ＳＦの光軸Ａｘ近傍の部位は、開口部１１に接するため、対物レンズ用キャップ１とは接触せず、汚れまたは変形等の悪影響を受けない。
【００２３】
図６の状態において、ユーザーは、対物レンズＯＬを、対物レンズＯＬの光軸Ａｘ１に沿って試料Ｓから離れるように移動させる。その後、対物レンズＯＬから対物レンズ用キャップ１が取り外される。
【００２４】
図７は、対物レンズ用キャップ１が取り外された後の顕微鏡および試料Ｓの状態を示す図である。試料Ｓの観察面ＳＦは、対物レンズＯＬの光軸Ａｘ１に略垂直であり、対物レンズＯＬにより、好適に観察を行うことができる。具体的には、対物レンズＯＬを通して観察すると、視野の広い範囲に焦点が合い、撮像により得られる画像から精度の高い解析を行うことができる。
なお、調整された後の試料Ｓは、対物レンズＯＬを通した観察の他、明視野顕微鏡、蛍光顕微鏡、走査型プローブ顕微鏡、原子間力顕微鏡またはレーザー顕微鏡等の、様々な種類の顕微鏡による観察に用いることができる。この場合でも、これらの顕微鏡の試料台に対して観察面ＳＦを略平行に配置することができるため、エラー信号の発生を抑制し、迅速な顕微鏡観察を行うことができる。
【００２５】
次のような変形も本考案の範囲内であり、上述の実施形態と組み合わせることが可能である。以下の変形例において、上述の実施形態と同様の構造、機能を示す部位に関しては、同一の符号で参照し、適宜説明を省略する。
【００２６】
（変形例１）
上述の実施形態では、試料接触部１０が試料接触面１００に開口する凹部１２を備える構成とした。しかし、試料接触部１０は、凹部１２の代わりに、試料接触面１００に開口する貫通孔を備えていてもよい。
【００２７】
図８は、本変形例の対物レンズ用キャップ１ａを模式的に示す断面図である。対物レンズ用キャップ１ａの側面の形状は、対物レンズ用キャップ１の側面と同一である。試料接触部１０−１は、凹部１２（図３）の代わりに、試料接触面１００に開口する貫通孔１３が形成されている点が上述の実施形態における試料接触部１０とは異なっている。試料接触部１０−１の内壁は、中心軸Ａｘを回転対称の対称軸とする円柱面の形状を有する。貫通孔１３は、試料接触部１０−１の篏合部２０側の第２端部Ｅ２に開口している。
【００２８】
本変形例の対物レンズ用キャップ１ａでは、試料接触面１００に凹部ではなく貫通孔１３が形成されているため、対物レンズＯＬの光軸Ａｘ１上に配置した試料Ｓの観察対象部位と、試料接触部１０−１とが接触する可能性をさらに低減することができる。これにより、当該観察対象部位が汚れたり、変形する可能性をさらに低減できる。また、対物レンズ用キャップ１ａを対物レンズＯＬに装着させたまま、試料Ｓを観察することも可能である。
【００２９】
（変形例２）
上述の実施形態において、対物レンズ用キャップ１が試料接触部１０の第１端部Ｅ１に試料接触面１００を有し、試料接触面１００が対物レンズＯＬの光軸Ａｘ１と略垂直になるように対物レンズ用キャップ１を対物レンズＯＬに固定可能であれば、試料接触部１０および篏合部２０の形状は特に限定されない。例えば、試料接触部１０は円錐台の形状に限らず、円筒または直方体等の形状でもよい。試料接触面１００も、押圧により観察面ＳＦの角度を変えることができれば、任意の形状をとることができる。例えば、試料接触面１００の外周面および内周面の形状は、多角形にすることができ、試料接触面１００が分離した複数の面を含んで構成されていてもよい。篏合部２０も、円筒状にすることができる他、外周面および内周面の形状は、多角形等にしてもよい。篏合部２０の内壁の形状が円柱面でないときは、中心軸Ａｘは、対物レンズ用キャップ１に対物レンズが装着される際に対物レンズの光軸Ａｘ１が通る設計上の位置を通るように設定することができる。
【００３０】
−第２実施形態−
第２実施形態に係る対物レンズ用キャップは、第１実施形態に係る対物レンズ用キャップ１と同様の構成を有しているが、試料接触部の構造が異なっている。ここで、第１実施形態との同一部分については第１実施形態と同一の符号で参照し、場合に応じ説明を省略する。
【００３１】
図９Ａは、本実施形態の対物レンズ用キャップ２を模式的に示す上面図であり、図９Ｂは、対物レンズ用キャップ２を模式的に示す正面図であり、図１０は、対物レンズ用キャップ２を模式的に示す図９ＡのＢ−Ｂ断面図である。図９Ａ、図９Ｂおよび図１０では、後述する、試料接触部１０ａのテーパー状の構造（図１１Ａ，１１Ｂおよび１１Ｃ）は、図示を省略した。
【００３２】
対物レンズ用キャップ２は、試料接触部１０ａと、篏合部２０と、連結部３０とを備える。試料接触部１０ａ、篏合部２０および連結部３０は、中心軸Ａｘの周りに同軸に配置されている。試料接触部１０は、対物レンズ用キャップ２において、中心軸Ａｘに沿って篏合部２０および連結部３０とは反対側に突出した形状を有している。試料接触部１０ａは、第１試料接触部２０１と、第２試料接触部２０２とを備える。以下では、中心軸Ａｘに沿って篏合部２０とは反対側を試料接触側と呼ぶ。試料接触部１０ａは、試料接触側の端部における、対物レンズ用キャップ２の中心軸Ａｘと交差し中心軸Ａｘと略垂直な第２の面Ｐ２（図９Ｂ）に沿って形成されている。試料接触部１０ａは、第２の面Ｐ２に開口部１１ａと連結した凹部１２ａが形成されている。連結部３０は、側壁３１と円板状部分３２とを備える（図１０）。側壁３１は、円錐台の側面と同じ形状の内側面および外側面を有し、側壁３１は篏合部２０と同程度の厚さに形成されている。連結部３０において、側壁３１の外径が小さい方の端部に円板状部分３２が一体的に形成されており、連結部３０は、側壁３１の外径が大きい方の端部において篏合部２０と連結されている。円板状部分３２には、試料接触側に試料接触部１０ａが配置されている。篏合部２０の形状は、上述の実施形態と同様であるため説明を省略する。
【００３３】
図１１Ａは、試料接触部１０ａを模式的に示す上面図であり、図１１Ｂは、第１試料接触部２０１を模式的に示す図１１ＡのＣ−Ｃ端面図であり、図１１Ｃは、第２試料接触部２０２を模式的に示す図１１ＡのＤ−Ｄ端面図である。
【００３４】
第１試料接触部２０１は、中心軸Ａｘに略平行な板状部材を備える。この板状部材は、中心軸Ａｘから動径方向に向かう直線に沿って形成されている。本実施形態では、第１試料接触部２０１は、中心軸Ａｘの周りに９０°ごとに４つ配置されている。第１試料接触部２０１は、第１基部２０１Ｂと、第１テーパー部２０１Ｔとを備える。第１基部２０１Ｂは、平板形状を有する。第１基部２０１Ｂは、中心軸Ａｘに沿って篏合部側において連結部３０と連結する。第１基部２０１Ｂの、中心軸に沿って試料接触側に第１テーパー部２０１Ｔが第１基部２０１Ｂと一体的に形成されている。第１テーパー部２０１Ｔは、中心軸Ａｘに沿って試料接触側に向かうにつれ幅が小さくなるように形成されており、第１テーパー部２０１Ｔの試料接触側の先端には第１エッジ２０１Ｅが形成されている。
【００３５】
試料接触部１０ａにおいて、中心軸Ａｘの近傍において試料接触部１０ａが形成されていない部分の幅をＤ２とする（図１０）。幅Ｄ２は、対物レンズ用キャップ２が装着される対物レンズを通して観察する際の視野に含まれる観察対象の幅に基づいて設定することができる。例えば、幅Ｄ２は、当該視野に含まれる観察対象の幅の４分の１〜半分程度に設定することができる。対物レンズ用キャップ２が装着される対物レンズの倍率が５倍のとき、幅Ｄ２は、０．６ｍｍ〜１．５ｍｍが好ましい。上記倍率が１０倍のとき、幅Ｄ２は、０．３ｍｍ〜０．８ｍｍが好ましい。上記倍率が２０倍の時、幅Ｄ２は、１５０μｍ〜４００μｍが好ましい。上記倍率が５０倍のとき、幅Ｄ２は、５０μｍ〜１５０μｍが好ましい。このように、対物レンズ用キャップ２は、装着される対物レンズに合わせて異なる寸法を有する試料接触部１０ａを有することができる。
【００３６】
第２試料接触部２０２は、中心軸Ａｘの周りに回転対称な円筒状部材を備える。上記複数の第１試料接触部２０１は、動径方向に沿って第１試料接触部２０１の外側で第２試料接触部２０２と連結している。第２試料接触部２０２は、第２基部２０２Ｂと、第２テーパー部２０２Ｔとを備える。第２基部２０２Ｂは、円筒形状を有する。第２基部２０２Ｂは、中心軸Ａｘに沿って篏合部側において連結部３０と連結する。第２基部２０２Ｂの、中心軸に沿って試料接触側に第２テーパー部２０２Ｔが第２基部２０２Ｂと一体的に形成されている。第２テーパー部２０２Ｔは、中心軸Ａｘに沿って試料接触側に向かうにつれ幅が小さくなるように形成されており、第２テーパー部２０２Ｔの試料接触側の先端には第２エッジ２０２Ｅが形成されている。
【００３７】
第１エッジ２０１Ｅと、第２エッジ２０２Ｅとは、第２の面Ｐ２に沿って形成され、試料Ｓに接触する線状部分を構成する。この試料Ｓに接触する線状部分は、実際には有限の面積を有するため試料接触面と呼ぶこともできる。本実施形態では、試料接触部１０ａの試料接触側の端部がエッジとなっているため、試料Ｓに当該エッジが食い込むことによりマークをつけやすくなっている。試料接触部１０ａは、中心軸Ａｘと第２の面Ｐ２とが交差する位置には形成されていないため、試料接触部１０ａと試料Ｓの観察対象部位とが接触しにくくなっている。これにより、当該観察対象部位を汚したり、変形させる等の悪影響を抑制することができる。加えて、第１試料接触部２０１は、各第１エッジ２０１Ｅに対応する直線が、中心軸Ａｘの近傍で交わる構成となっているため、マークを付けた後に観察対象部位の位置がわかりやすくなる（図１５Ｂ）。
【００３８】
対物レンズ用キャップ２は金属または樹脂を主成分とすることができる。対物レンズ用キャップ２は、金属としてはステンレス、樹脂としてはテフロンまたはポリプロピレンを含むことができるが、特に限定されない。対物レンズ用キャップ１の加工の方法は特に限定されず、金属加工または樹脂加工における公知の方法等を用いることができる。例えば、金属加工の場合、切断加工、旋盤加工および穴あけ加工等により加工することができる。樹脂加工の場合は、射出成型等により成形することができる。
なお、図１０では、試料接触部１０ａ、篏合部２０および連結部３０を別の部分としてハッチングで区別して示した。しかし、試料接触部１０ａ、篏合部２０および連結部３０のうち隣り合う２つ以上を金属または樹脂により一体的に成形してもよい。
【００３９】
図１２Ａ、図１３、図１４および図１５Ａは、本実施形態の対物レンズ用キャップ２を用いて試料Ｓ１にマークを付ける方法の流れを説明するための概念図である。この例では、対物レンズ用キャップ２は、試料にマークを付けるためのものである。ここでは、図１２Ａ、１３、１４、１５Ａの順番で時系列順に顕微鏡および試料Ｓ１の状態を示した。試料Ｓ１は顕微鏡観察のための試料である。顕微鏡の種類は、正立顕微鏡が好ましい。対物レンズ用キャップ２が装着される対物レンズは、操作の簡便さ等の観点から、明視野顕微鏡等の、低倍率での観察に用いられる一般的な顕微鏡に取り付けることが好ましい。一方、マークを付けた後の試料は、明視野顕微鏡、蛍光顕微鏡、走査型プローブ顕微鏡、原子間力顕微鏡またはレーザー顕微鏡等の、広範な種類の顕微鏡による観察に用いることが可能である。
【００４０】
図１２Ａは、試料Ｓ１と顕微鏡を示す概念図であり、図１２Ｂは、試料Ｓ１を対物レンズＯＬが配置されている側から見た上面図である。試料Ｓ１は、観察対象部位Ｔを有する。観察対象部位Ｔは、試料Ｓ１においてより高倍率で観察したり、対物レンズＯＬが用いられる顕微鏡とは異なる顕微鏡により観察する対象となる部分である。
【００４１】
図１２Ａの状態において、ユーザーは、観察対象部位Ｔが視野の略中央に配置されるように対物レンズＯＬまたは試料台を移動させる。観察対象部位Ｔは、試料Ｓ１において対物レンズＯＬの光軸Ａｘ１が通る位置の近傍に配置される。その後、ユーザーは、対物レンズＯＬの対物側の端部に対物レンズ用キャップ２を装着する。
【００４２】
図１３は、対物レンズＯＬに対物レンズ用キャップ２を装着した後の顕微鏡および試料Ｓ１の状態を示す図である。対物レンズＯＬの光軸Ａｘ１と対物レンズ用キャップ２の中心軸Ａｘは略一致している。このとき、対物レンズＯＬの光軸Ａｘ１と第１エッジ２０１Ｅおよび第２エッジ２０２Ｅは略垂直となる。対物レンズ用キャップ２は、試料接触部１０ａが試料Ｓ１の観察対象部位Ｔに向かい合うように配置される。
【００４３】
図１３の状態において、ユーザーは、試料台または対物レンズＯＬを光軸Ａｘ１に略平行に移動させ、試料接触部１０ａの第１エッジ２０１Ｅおよび第２エッジ２０２Ｅを試料Ｓ１に食い込ませる。
【００４４】
図１４は、対物レンズ用キャップ２により試料Ｓ１にマークを付ける際の顕微鏡および試料Ｓ１の状態を示す図である。試料接触部１０ａは、試料接触側の端部がエッジになっているため、試料Ｓ１の表面に容易にマークをつけることができる。試料Ｓ１の光軸Ａｘ１近傍の観察対象部位Ｔは、開口部１１ａ（図９Ａ）に接するため、対物レンズ用キャップ２とは接触せず、汚れまたは変形等の悪影響を受けない。
【００４５】
図１４の状態において、ユーザーは、対物レンズＯＬを、対物レンズＯＬの光軸Ａｘ１に沿って試料Ｓ１から離れるように移動させる。その後、対物レンズＯＬから対物レンズ用キャップ２が取り外される。
【００４６】
図１５Ａは、対物レンズ用キャップ２が取り外された後の顕微鏡および試料Ｓ１の状態を示す図であり、図１５Ｂは、このときの試料Ｓ１の上面図である。試料Ｓ１には、第１エッジ２０１Ｅおよび第２エッジ２０２Ｅの形状に対応するマークＭＫが試料Ｓ１上の凹みとして形成されている。本実施形態の対物レンズ用キャップ２により、試料Ｓ１に簡便にマークＭＫを付けることができ、様々な倍率でも当該倍率に適した対物レンズ用キャップ２により、適切な大きさのマークＭＫを試料Ｓ１に容易に形成することができる。
なお、試料Ｓ１が硬く、へこみによるマークＭＫを形成するのが難しい場合には、第１エッジ２０１Ｅおよび第２エッジ２０２Ｅに水性マーカー等でインクを付着させ、当該インクが付着した第１エッジ２０１Ｅおよび第２エッジ２０２Ｅを試料Ｓ１に接触させることで、インクによるマークＭＫを試料Ｓ１に示すことができる。ここで、インクの代わりに黒鉛等の着色可能な粉末を利用してもよい。
【００４７】
次のような変形も本考案の範囲内であり、上述の実施形態と組み合わせることが可能である。以下の変形例において、上述の実施形態と同様の構造、機能を示す部位に関しては、同一の符号で参照し、適宜説明を省略する。
【００４８】
（変形例１）
上述の実施形態では、中心軸Ａｘのまわりに９０°ごとに４つの第１試料接触部２０１が形成されていたが、第１試料接触部２０１の個数は特に限定されない。例えば、第１試料接触部２０１の個数は３とすることができる。
【００４９】
図１６は、本変形例の対物レンズ用キャップ２ａを模式的に示す上面図である。対物レンズ用キャップ２ａは試料接触部１０ｂを備える。試料接触部１０ｂは、３つの第１試料接触部２０１を備える。このような場合でも上述の実施形態と同様の効果を得ることができる。複数の第１試料接触部２０１の交差する点により、マークＭＫにおける中心位置が示されることが好ましく、その観点から、第１試料接触部２０１の個数は、３以上であることが好ましい。第１試料接触部２０１の個数は、適宜１０以下等にすることができる。
【００５０】
（変形例２）
上述の実施形態において、試料接触部１０ａは、第２試料接触部２０２を備えなくてもよい。この場合でも、上述の実施形態と同様の効果を得ることができる。
【００５１】
（変形例３）
上述の実施形態において、対物レンズ用キャップ２が試料接触側の端部に第１エッジ２０１Ｅ等のエッジを有し、当該エッジが対物レンズＯＬの光軸Ａｘ１と交差するように対物レンズ用キャップ２を対物レンズＯＬに固定可能であれば、試料接触部１０ａ、篏合部２０および連結部３０の形状は特に限定されない。例えば、第２試料接触部２０２の外周面および内周面は楕円または多角形等の形状でもよい。また、対物レンズ用キャップ２は、凹部１２ａの代わりに、対物レンズ用キャップを中心軸Ａｘに沿って貫通する貫通孔を備えてもよい。
【００５２】
−第３実施形態−
第３実施形態に係る対物レンズは、第２実施形態に係る対物レンズ用キャップ２の試料接触部１０ａと同様の構造の試料接触部が形成された対物レンズである。第２実施形態との同一部分については第２実施形態と同一の符号で参照し、場合に応じ説明を省略する。
【００５３】
図１７Ａは、本実施形態の対物レンズ３を模式的に示す上面図であり、図１７Ｂは、対物レンズ３を模式的に示す正面図である。図１７Ａの上面図は対物側から見た図である。対物レンズ３は、対物レンズ本体３００と、試料接触部１０ｃを備える。対物レンズ本体３００は、レンズ４０を備える。レンズ４０は、対物レンズ３を通して試料を観察する際に最も試料に近い側に配置されることになるレンズである。
【００５４】
試料接触部１０ｃ、レンズ４０および対物レンズ本体３００は、対物レンズ３の光軸Ａｘ２を中心軸として同軸に配置される。試料接触部１０ｃは第１試料接触部２０１ａおよび第２試料接触部２０２ａを備える。試料接触部１０ｃ、第１試料接触部２０１ａおよび第２試料接触部２０２ａの構造は、それぞれ試料接触部１０ａ、第１試料接触部２０１および第２試料接触部２０２と同一なため適宜説明を省略する。
【００５５】
試料接触部１０ｃは、対物レンズ３の光軸Ａｘ２に沿って対物レンズ３のレンズ４０のレンズ面よりも対物側に突出して形成されている。第１試料接触部２０１ａおよび第２試料接触部２０２ａの対物側の端部は、対物レンズ３の光軸Ａｘ２に略垂直な第３の面Ｐ３に沿って形成されている。試料接触部１０ｃには、複数のエッジが形成されている。試料接触部１０ｃは、第１試料接触部２０１ａの各エッジに対応する直線が対物レンズの光軸Ａｘ２の近傍で交差するように形成されている。試料接触部１０ｃには、対物レンズ３において対物レンズ本体３００の反対側の端部に開口する開口部１１ｂが形成されており、開口部１１ｂに貫通孔１３ａが開口している。
【００５６】
対物レンズ３では、第３の面Ｐ３と光軸Ａｘ２が交差する位置に試料接触部１０ｃが形成されておらず、その他の光軸Ａｘ２上の位置にも試料接触部１０ｃが形成されていないため、通常の対物レンズと同様に試料を観察することができる。試料接触部１０ｃにおいて、光軸Ａｘ２の近傍において試料接触部１０ｃが形成されていない部分の幅は、対物レンズ３を通して観察する際の視野に含まれる観察対象の幅に基づいて設定することができる。例えば、当該幅は、当該視野に含まれる観察対象の幅の４分の１〜半分程度に設定することができる。このように、対物レンズ３は、倍率に合わせて異なる寸法の試料接触部１０ｃを有することができる。
【００５７】
対物レンズ３は、任意の対物レンズに、金属または樹脂等からなる試料接触部１０ｃを接着等により固定することで製造することができる。
【００５８】
本実施形態の対物レンズ３を用いて試料にマークを付ける方法では、対物レンズ３を通して試料を観察し、試料における観察対象部位を視野の中央に移動させた後、対物レンズ３を光軸Ａｘ２に沿って動かして試料接触部１０ｃと試料とを接触させる。試料接触部１０ｃは、対物側の端部に向けて幅が小さくなるように形成されている。試料接触部１０ｃの端部に形成されているエッジにより、試料にはへこみによるマークが付けられる。
【００５９】
本実施形態の対物レンズ３を用いる場合でも、簡便に試料にマークを付けることができる。また、対物レンズの倍率に合わせた寸法を有する試料接触部１０ｃを形成することにより、当該倍率に適した、適切な大きさのマークを試料に容易に形成することができる。
なお、上述の第１実施形態の試料接触面１００および貫通孔１３を有する試料接触部を対物レンズの対物側に取り付けてもよい。
【００６０】
（態様）
上述した複数の例示的な実施形態またはその変形は、以下の態様の具体例であることが当業者により理解される。
【００６１】
（第１項）一態様に係る対物レンズ用キャップは、対物レンズの対物側に装着される対物レンズ用キャップであって、第１開口部（開口部２２）が形成され、前記第１開口部を通って挿入される前記対物レンズの側面に篏合する篏合部と、前記篏合部と連結されるか、前記篏合部と一体的に形成され、前記対物レンズ用キャップにおいて前記第１開口部の反対側に突出した試料接触部とを備える。これにより、試料を水平にする操作または試料にマークを付ける操作等の、試料の観察の際に試料に対して行う操作を、手間がかからずに正確に行うことができる。
【００６２】
（第２項）他の一態様に係る対物レンズ用キャップでは、第１項の態様の対物レンズ用キャップにおいて、前記篏合部は、前記対物レンズ用キャップの中心軸が前記対物レンズの光軸と略平行となるように前記対物レンズの側面に篏合する。これにより、対物レンズ用キャップと対物レンズの位置合わせを行うことができ、試料に対して行う操作を、より正確に行うことができる。
【００６３】
（第３項）他の一態様に係る対物レンズ用キャップでは、第１項または第２項の態様の対物レンズ用キャップにおいて、前記篏合部は、円筒状である。これにより、より確実に、対物レンズ用キャップを対物レンズに固定することができる。
【００６４】
（第４項）他の一態様に係る対物レンズ用キャップでは、第１項から第３項までのいずれかの態様の対物レンズ用キャップにおいて、前記篏合部は、前記篏合部を前記対物レンズに係止するねじを備える。これにより、さらに確実に、対物レンズ用キャップを対物レンズに固定することができる。
【００６５】
（第５項）他の一態様に係る対物レンズ用キャップでは、第１項から第４項までのいずれかの態様の対物レンズ用キャップにおいて、前記試料接触部には、前記対物レンズ用キャップにおいて前記第１開口部と反対側の端部に開口する第２開口部（開口部１１，１１ａ）が形成されている。これにより、試料接触部と観察対象部位とが接触することによる、汚れの付着または変形等の悪影響を抑制することができる。
【００６６】
（第６項）他の一態様に係る対物レンズ用キャップでは、第５項の態様の対物レンズ用キャップにおいて、前記第２開口部に開口する凹部または貫通孔が形成されている。これにより、より確実に、試料接触部と観察対象部位とが接触することによる、汚れの付着または変形等の悪影響を抑制することができる。
【００６７】
（第７項）他の一態様に係る対物レンズ用キャップでは、第５項または第６項の態様の対物レンズ用キャップにおいて、前記試料接触部の前記端部は、前記対物レンズ用キャップの中心軸に略垂直な面に沿って形成されている。これにより、試料をより正確に水平にすることができ、より均一にマークを付けることができる。
【００６８】
（第８項）他の一態様に係る対物レンズ用キャップでは、第５項から第７項までのいずれかの態様の対物レンズ用キャップにおいて、前記試料接触部は、前記端部を通り前記対物レンズ用キャップの中心軸に略垂直な面と前記中心軸が交差する位置には形成されていない。これにより、さらに確実に、試料接触部と観察対象部位とが接触することによる、汚れの付着または変形等の悪影響を抑制することができる。
【００６９】
（第９項）他の一態様に係る対物レンズ用キャップでは、第５項から第８項までのいずれかの態様の対物レンズ用キャップにおいて、前記試料接触部は、前記端部に向けて幅が小さくなるように形成されている。これにより、試料接触部の端部により容易にマークを付けることができる。
【００７０】
（第１０項）他の一態様に係る対物レンズ用キャップでは、第９項の態様の対物レンズ用キャップにおいて、前記試料接触部は、複数のエッジが形成されており、各エッジに対応する直線が前記対物レンズ用キャップの中心軸の近傍で交差するように前記試料接触部が形成されている。これにより、試料接触部の端部により付けられたマークにより、試料における特定の位置をより正確に示すことができる。
【００７１】
（第１１項）他の一態様に係る対物レンズ用キャップでは、第１項から第１０項までのいずれかの態様の対物レンズ用キャップにおいて、前記試料接触部は、前記対物レンズの倍率に基づいた寸法を有する。これにより、適切な大きさのマークを試料に付けることができる。
【００７２】
（第１２項）一態様に係る対物レンズは、対物レンズであって、前記対物レンズのレンズ面よりも対物側に突出して形成された試料接触部を備える。これにより、試料を水平にする操作または試料にマークを付ける操作等の、試料の観察の際に試料に対して行う操作を、手間がかからずに正確に行うことができる。
【００７３】
（第１３項）他の一態様に係る対物レンズでは、第１２項の態様の対物レンズにおいて、前記試料接触部には、前記対物レンズにおいて対物レンズ本体と反対側の端部に開口する貫通孔が形成されている。これにより、試料接触部と観察対象部位とが接触することによる、汚れの付着または変形等の悪影響を抑制することができる。
【００７４】
（第１４項）他の一態様に係る対物レンズでは、第１３項の態様の対物レンズにおいて、前記試料接触部の前記端部は、前記対物レンズの光軸に略垂直な面に沿って形成されている。これにより、試料をより正確に水平にすることができ、より均一にマークを付けることができる。
【００７５】
（第１５項）他の一態様に係る対物レンズでは、第１３項または第１４項までのいずれかの態様の対物レンズにおいて、前記試料接触部は、前記端部を通り前記対物レンズの光軸に略垂直な面と前記光軸が交差する位置には形成されていない。これにより、より確実に、試料接触部と観察対象部位とが接触することによる、汚れの付着または変形等の悪影響を抑制することができる。
【００７６】
（第１６項）他の一態様に係る対物レンズでは、第１３項から第１５項までのいずれかの態様の対物レンズにおいて、前記試料接触部は、前記端部に向けて幅が小さくなるように形成されている。これにより、試料接触部の端部により容易にマークを付けることができる。
【００７７】
（第１７項）他の一態様に係る対物レンズでは、第１３項から第１６項までのいずれかの態様の対物レンズにおいて、前記試料接触部には、複数のエッジが形成されており、各エッジに対応する直線が前記対物レンズの光軸の近傍で交差するように前記試料接触部が形成されている。これにより、試料接触部の端部により付けられたマークにより、試料における特定の位置をより正確に示すことができる。
【００７８】
（第１８項）他の一態様に係る対物レンズでは、第１３項から第１７項までのいずれかの態様の対物レンズにおいて、前記試料接触部は、前記対物レンズの倍率に基づいた寸法を有する。これにより、適切な大きさのマークを試料に付けることができる。
【００７９】
本考案は上記実施形態の内容に限定されるものではない。本考案の技術的思想の範囲内で考えられるその他の態様も本考案の範囲内に含まれる。
【符号の説明】
【００８０】
１，１ａ，２，２ａ…対物レンズ用キャップ、３…対物レンズ、１０，１０ａ，１０ｂ，１０ｃ，１０−１…試料接触部、１１，１１ａ，１１ｂ…試料接触部の開口部、１２，１２ａ…凹部、１３，１３ａ…貫通孔、２０…篏合部、２１，２１ａ，２１ｂ，２１ｃ…ねじ、２２…篏合部の開口部、３０…連結部、３１…連結部の側壁、３２…連結部の円板状部分、４０…レンズ、１００…試料接触面、２０１，２０１ａ…第１試料接触部、２０１Ｂ…第１基部、２０１Ｅ…第１エッジ、２０１Ｔ…第１テーパー部、２０２，２０２ａ…第２試料接触部、２０２Ｂ…第２基部、２０２Ｅ…第２エッジ、２０２Ｔ…第２テーパー部、Ａｘ…対物レンズ用キャップの中心軸、Ａｘ１，Ａｘ２…対物レンズの光軸、Ｅ１…第１端部、Ｅ２…第２端部、Ｍ…塑性を有する部材、ＭＫ…マーク、ＯＬ…対物レンズ、Ｐ１…第１の面、Ｐ２…第２の面、Ｐ３…第３の面、Ｓ，Ｓ１…試料、ＳＦ…観察面、ＳＴ…試料台、Ｔ…観察対象部位。
【図１】
0003225945.tif 000003
【図２Ａ】
0003225945.tif 000004
【図２Ｂ】
0003225945.tif 000005
【図３】
0003225945.tif 000006
【図４】
0003225945.tif 000007
【図５】
0003225945.tif 000008
【図６】
0003225945.tif 000009
【図７】
0003225945.tif 000010
【図８】
0003225945.tif 000011
【図９Ａ】
0003225945.tif 000012
【図９Ｂ】
0003225945.tif 000013
【図１０】
0003225945.tif 000014
【図１１Ａ】
0003225945.tif 000015
【図１１Ｂ】
0003225945.tif 000016
【図１１Ｃ】
0003225945.tif 000017
【図１２Ａ】
0003225945.tif 000018
【図１２Ｂ】
0003225945.tif 000019
【図１３】
0003225945.tif 000020
【図１４】
0003225945.tif 000021
【図１５Ａ】
0003225945.tif 000022
【図１５Ｂ】
0003225945.tif 000023
【図１６】
0003225945.tif 000024
【図１７Ａ】
0003225945.tif 000025
【図１７Ｂ】
0003225945.tif 000026
【手続補正書】
【提出日】令和2年2月5日(2020.2.5)
【手続補正１】
【補正対象書類名】実用新案登録請求の範囲
【補正対象項目名】全文
【補正方法】変更
【補正の内容】
【実用新案登録請求の範囲】
【請求項１】
対物レンズの対物側に装着される対物レンズ用キャップであって、
第１開口部が形成され、前記第１開口部を通って挿入される前記対物レンズの側面に篏合する篏合部と、
前記篏合部と連結されるか、前記篏合部と一体的に形成され、前記対物レンズ用キャップにおいて前記第１開口部の反対側に突出した試料接触部とを備える、対物レンズ用キャップ。
【請求項２】
請求項１に記載の対物レンズ用キャップにおいて、
前記篏合部は、前記対物レンズ用キャップの中心軸が前記対物レンズの光軸と略平行となるように前記対物レンズの側面に篏合する、対物レンズ用キャップ。
【請求項３】
請求項１または２に記載の対物レンズ用キャップにおいて、
前記篏合部は、円筒状である、対物レンズ用キャップ。
【請求項４】
請求項１から３までのいずれか一項に記載の対物レンズ用キャップにおいて、
前記篏合部は、前記篏合部を前記対物レンズに係止するねじを備える、対物レンズ用キャップ。
【請求項５】
請求項１から４までのいずれか一項に記載の対物レンズ用キャップにおいて、
前記試料接触部には、前記対物レンズ用キャップにおいて前記第１開口部と反対側の端部に開口する第２開口部が形成されている、対物レンズ用キャップ。
【請求項６】
請求項５に記載の対物レンズ用キャップにおいて、
前記第２開口部に開口する凹部または貫通孔が形成されている、対物レンズ用キャップ。
【請求項７】
請求項５または６に記載の対物レンズ用キャップにおいて、
前記試料接触部の前記端部は、前記対物レンズ用キャップの中心軸に略垂直な面に沿って形成されている、対物レンズ用キャップ。
【請求項８】
請求項５から７までのいずれか一項に記載の対物レンズ用キャップにおいて、
前記試料接触部は、前記端部を通り前記対物レンズ用キャップの中心軸に略垂直な面と前記中心軸が交差する位置には形成されていない、対物レンズ用キャップ。
【請求項９】
請求項５から８までのいずれか一項に記載の対物レンズ用キャップにおいて、
前記試料接触部は、前記端部に向けて幅が小さくなるように形成されている、対物レンズ用キャップ。
【請求項１０】
請求項１から９までのいずれか一項に記載の対物レンズ用キャップにおいて、
前記試料接触部には、複数のエッジが形成されており、各エッジに対応する直線が前記対物レンズ用キャップの中心軸の近傍で交差するように前記試料接触部が形成されている、対物レンズ用キャップ。
【請求項１１】
請求項１から１０までのいずれか一項に記載の対物レンズ用キャップにおいて、
前記試料接触部は、前記対物レンズの倍率に基づいた寸法を有する、対物レンズ用キャップ。
【手続補正３】
【補正対象書類名】明細書
【補正対象項目名】０００１
【補正方法】変更
【補正の内容】
【０００１】
本考案は、対物レンズ用キャップに関する。 
【手続補正４】
【補正対象書類名】明細書
【補正対象項目名】０００５
【補正方法】変更
【補正の内容】
【０００５】
本考案の第１の態様は、対物レンズの対物側に装着される対物レンズ用キャップであって、第１開口部が形成され、前記第１開口部を通って挿入される前記対物レンズの側面に篏合する篏合部と、前記篏合部と連結されるか、前記篏合部と一体的に形成され、前記対物レンズ用キャップにおいて前記第１開口部の反対側に突出した試料接触部とを備える、対物レンズ用キャップに関する。